【事件の表示】
　特願２０１３−　７２７２０「ゴルフボール」拒絶査定不服審判事件〔平成２６年１０月１６日出願公開、特開２０１４−１９５５６４、請求項の数（８）〕について、次のとおり審決する。
【結　論】
　原査定を取り消す。
　本願の発明は、特許すべきものとする。
【理　由】
第１　手続の経緯
　本願は、平成２５年３月２９日の出願であって、平成２８年１２月１９日付けで拒絶理由通知がされ、平成２９年２月２３日付けで手続補正がされ、同年６月３０日付けで拒絶査定（原査定）がされ、これに対し、同年９月２８日に拒絶査定不服審判の請求がなされると同時に手続補正がされ、平成３０年５月８日付けで拒絶理由通知がされ、同年７月２日付けで手続補正がされたものである。
第２　本願発明
　本願の請求項１乃至８に係る発明（以下、それぞれ「本願発明１」乃至「本願発明８」という。）は、平成３０年７月２日付けの手続補正で補正された特許請求の範囲の請求項１乃至８に記載された事項により特定される発明であり、本願発明１は以下のとおりの発明である。
「球状コアと前記球状コアを被覆する少なくとも一層以上のカバーとを有するゴルフボールであって、
　前記球状コアが、（ａ）基材ゴム、（ｂ）共架橋剤として炭素数が３〜８個のα，β−不飽和カルボン酸および／またはその金属塩、架橋開始剤として（ｃ）有機過酸化物および（ｄ）芳香族カルボン酸および／またはその塩を含有し、前記（ｂ）共架橋剤として炭素数が３〜８個のα，β−不飽和カルボン酸のみを含有する場合には、さらに（ｅ）金属化合物を含有し、
　前記架橋開始剤として、前記（ｃ）有機過酸化物のみを配合し、
　前記（ｃ）有機過酸化物が、２，５−ジメチル−２，５−ジ（ｔ−ブチルペルオキシ）ヘキシン−３であるゴム組成物から形成されていることを特徴とするゴルフボール。」
　なお、本願発明２乃至８の概要は以下のとおりである。
　本願発明２は、本願発明１を減縮した発明である。
　本願発明３は、本願発明１または２を減縮した発明である。
　本願発明４は、本願発明１〜３のいずれかを減縮した発明である。
　本願発明５は、本願発明４を減縮した発明である。
　本願発明６は、本願発明４または５を減縮した発明である。
　本願発明７は、本願発明１〜６のいずれかを減縮した発明である。
　本願発明８は、本願発明１〜７のいずれかを減縮した発明である。
第３　引用文献、引用発明等
１．引用文献１について
　原査定の拒絶の理由に引用され、本願の出願日前の平成２４年７月２６日に頒布された引用文献１（特開２０１２−１３９４１６号公報）には、図面とともに次の事項が記載されている。（下線は当審で付した。以下同じ。）
（１）「【特許請求の範囲】
【請求項１】
　
球状コアと前記球状コアを被覆する少なくとも一層のカバーとを有するゴルフボールであって、
【請求項２】
　
前記球状コアは、（ａ）基材ゴム、（ｂ）共架橋剤として炭素数が３〜８個のα，β−不飽和カルボン酸および／またはその金属塩、（ｃ）架橋開始剤、（ｄ）カルボン酸および／またはその塩を含有し、（ｂ）共架橋剤として炭素数が３〜８個のα，β−不飽和カルボン酸のみを含有する場合には、さらに（ｆ）金属化合物を含有するゴム組成物から形成されている請求項１に記載のゴルフボール
（２）「【技術分野】
【０００１】
　本発明は、飛行性能に優れたゴルフボールに関するものであり、より詳細には、ゴルフボールのコアの改良に関するものである。」
（３）「【００２３】
　次に、上記のように測定されたＪＩＳ−Ｃ硬度を縦軸とし、コア中心からの距離（％）を横軸として、測定結果をプロットしてグラフを作成する。本発明では、このプロットから最小二乗法により求めた線形近似曲線のＲ２が、０．９５以上である。最小二乗法によって求めた線形近似曲線のＲ２は、得られたプロットの直線性を指標するものである。本発明において、Ｒ２が０．９５以上であれば、球状コアの硬度分布が略直線であることを意味する。硬度分布が略直線状である球状コアを用いたゴルフボールは、ドライバーショットのスピン量が低下する。その結果、ドライバーショットの飛距離が大きくなる。前記線形近似曲線のＲ２は、０．９６以上がより好ましい。直線性が高まることによって、ドライバーショットの飛距離がより大きくなる。」
（４）「【００４６】
　（ｃ）架橋開始剤は、（ａ）基材ゴム成分を架橋するために配合されるものである。
（ｃ）架橋開始剤として
有機過酸化物は
２，５−ジメチル−２，５−ジ（ｔ―ブチルパーオキシ）ヘキサン
単独
（５）「【００４９】
　（ｄ）前記カルボン酸は、炭素数が３〜８個のα，β−不飽和カルボン酸の金属塩とカチオン成分を交換できるものであれば、脂肪族カルボン酸（本発明において、単に「脂肪酸」と称する場合がある）または
芳香族カルボン酸
　したがって、上記引用文献１には次の発明（以下、「引用発明１」という。）が記載されていると認められる。
「球状コアと前記球状コアを被覆する少なくとも一層のカバーとを有するゴルフボールであって、
　前記球状コアは、（ａ）基材ゴム、（ｂ）共架橋剤として炭素数が３〜８個のα，β−不飽和カルボン酸および／またはその金属塩、（ｃ）架橋開始剤、（ｄ）芳香族カルボン酸および／またはその塩を含有し、（ｂ）共架橋剤として炭素数が３〜８個のα，β−不飽和カルボン酸のみを含有する場合には、さらに（ｆ）金属化合物を含有するゴム組成物から形成され、
　（ｃ）架橋開始剤として、有機過酸化物である２，５−ジメチル−２，５−ジ（ｔ―ブチルパーオキシ）ヘキサン単独を用いた、ゴルフボール。」
２．引用文献２について
　原査定の拒絶の理由に引用され、本願の出願日前の２００６年７月２７日に頒布された引用文献２（米国特許出願公開第２００６／０１６６７６１号）には、図面とともに次の事項が記載されている。（なお、括弧内の訳文は、当審が作成した。）
（１）「[0002]　1. Field of the Invention
[0003]　The present invention relates generally to compositions for use in making golf ball cores. In particular, the invention relates to such golf ball cores having a difference in hardness between the core's outer surface and the core's center point. The present invention also relates to methods for manufacturing these golf ball cores.」
（1. 発明の分野
本発明は、一般にゴルフボールコアを製造するのに使用するための組成物に関する。特に、本発明は、コアの外側の表面及びコアの中心との硬度差を有するそのようなゴルフボールコアに関するものである。本発明はまた、これらのゴルフボールコアを製造するための方法に関する。）
（２）「[0058]　The golf ball cores　12　of the present invention incorporate a composition that includes an unsaturated polymer and a peptizer. The golf ball composition can also include an accelerator. The core compositions can be cured by a single organic peroxide or a mixture of organic peroxides having different activation temperatures. The composition of the unsaturated polymer, with the peptizer, and with or without the accelerator, allows for the adjustment of the difference in hardness and specific gravity between the golf ball core's center point　16　and outer surface　14　during manufacturing, while providing for increased C.O.R. and compression. The present invention also resides in methods of manufacture for the golf ball cores. These golf ball cores are easy to prepare, and they can tailored to meet a wide range of specifications and preferred performance.」
（本発明のゴルフボールのコア12は、不飽和重合体およびペプタイザを含む組成物を含む。ゴルフボール組成物は、促進剤を含むことができる。コア組成物は、単一の有機過酸化物又は異なる活性化温度を有する有機過酸化物の混合物により硬化させることができる。不飽和ポリマーの組成物は、ペプタイザと、促進剤の有無にかかわらず、製造中にゴルフボールコアの中心点16と外面14との間の硬度と比重の差を、C.O.R.を増加および圧縮をしながら調整することを可能にする。本発明は、また、ゴルフボールコアを製造する方法を提供する。これらのゴルフボールコアを調製するのが容易であり、それらは仕様および好ましい性能の広い範囲に適合するようにあつらえることができる。）
（３）「[0066]　Both homolytically and heterolytically decomposed peroxide can be used in the golf ball cores　12　of the present invention. Non-limiting examples of suitable peroxides include: diacetyl peroxide; di-tert-butyl peroxide; dibenzoyl peroxide; dicumyl peroxide; 2,5-dimethyl-2,5-di(benzoylperoxy)hexane; 1,4-bis-(t-butylperoxyisopropyl)benzene, t-butylperoxybenzoate; 2,5-dimethyl-2,5-di-(t-butylperoxy)hexyne-3; 1,1-bis(t-butylperoxy)-3,3,5 tri-methylcyclohexane, such as Varox 231-XL, marketed by R.T. Vanderbilt Co., Inc. of Norwalk, Conn.; di-(2,4-dichlorobenzoyl)peroxide; and mixtures thereof. The cross-linking agent can be blended in amounts greater than about 0.1 part per hundred of the cross-linking agent per 100 parts by weight of the unsaturated polymer.」
（均質分解した過酸化物及び異質分解した過酸化物の両方を本発明のゴルフボールのコア12に使用することができる。適当な過酸化物の非限定的な例としてはジアセチルペルオキシド;ジ-tert-ブチルペルオキシド;ジベンゾイルペルオキシド;ジクミルペルオキシド;2,5-ジメチル-2,5-ジ(ベンゾイルペルオキシ)ヘキサン;1,4-ビス-(t-ブチルペルオキシイソプロピル)ベンゼン、t-ブチルペルオキシベンゾエート;2,5-ジメチル-2,5-ジ-(t-ブチルペルオキシ)ヘキシン-3;コネチカット州ノーウォークのR.T. Vanderbilt社から市場に出されているバロックス231XLのような1,1-ビス(t-ブチルペルオキシ)-3,3,5トリメチルシクロヘキサン;ジ-(2,4-ジクロロベンゾイル)ペルオキシド;及びこれらの混合物がある。架橋剤は、不飽和ポリマー100重量部当たり、架橋剤の100部当たり約0.1pph以上の量で配合することができる。）
（４）「[0116]　 Twelve batches of golf ball cores　12　having diameters of 1.48 inches or 1.58 inches, and suitable for use in golf balls　10　within the scope of the present invention, were prepared and tested for C.O.R.; compression (“C.C.”); and Shore D hardness and specific gravity, which were measured at the core's outer surface　14　and the core's center point　16 . The cores each incorporated 100 parts per hundred (“pph”) of BR40, which is manufactured by Enichem of Rome, Italy; either 24.3 pph or 21.8 pph of ZnO; either 33.5 pph or 34.8 pph of SR638, which is manufactured by Sartomer Company; 0.61 pph of Varox 231XL, which is manufactured by R.T. Vanderbilt Company of Norwalk, Conn.; and 0.17 pph of Trigonox 145-45B, which is manufactured by Akzr Nobel Chemicals of Arnhem, Netherlands. The core compositions also include either 1 pph or 0.8 pph of NH4PCTP. Detailed composition information for the twelve cores is provided in Table 1a below.　
 
」
（直径が1.48インチまたは1.58インチであり、本発明の範囲内のゴルフボール10に使用するのに適したゴルフボールコア12の12バッチを調整し、、C.O.R:圧縮(“C.C.”);および、コアの外表面14とコアの中心点16で測定されたショアD硬度、および比重、について試験した。これらのコアは、イタリア、ローマのEnichem社により製造されるBR40を100pph（重量部）、ZnOを24.3pphか21.8pph;Sartomer社により製造されるSR638を33.5pphか34.8pph、コネチカット州ノーウォークのR.T. Vanderbilt社により製造されるバロックス231XLを0.61pph、オランダのアーネムのAkzr Nobel Chemicals社により製造されるTrigonox 145-45bを0.17pph、を含む。コア組成物はまたNH4PCTPを1pphか0.8pph含む。12のコアの詳細な組成情報は以下の表1aに提供される。）
（５）「What is claimed is:
 1 . A golf ball comprising: 
 a. a golf ball core including: 
　i. a center point having a first hardness value, and
　ii. an outer surface having a second hardness value, different from the first hardness value,
　iii. wherein a gradient in hardness value between the first hardness value and the second hardness value across a radius of the golf ball core occurs in discrete increments,
　iv. and wherein regions of the golf ball core having discrete hardness values are arranged concentrically about the center point; and
 b. one or more layers enclosing the golf ball core.
…
 6 . The golf ball according to　claim 1 , wherein the golf ball core comprises an unsaturated polymer and a peptizer.
…
 8 . The golf ball according to　claim 6 , wherein the golf ball core further comprises a cross-linking agent selected from the group consisting of diacetyl peroxide, di-tert-butyl peroxide, dibenzoyl peroxide, dicumyl peroxide, 2,5-dimethyl-2,5-di-(benzoylperoxy)hexane, 1,4-bis-(t-butylperoxyisopropyl)benzene, t-butylperoxybenzoate, 2,5-dimethyl-2,5-di-(t-butylperoxy)hexyne-3, 1,1-bis-(t-butylperoxy)-3,3,5-trimethylcyclohexane, di-(2,4-dichlorobenzoyl)peroxide, and mixtures thereof. 
 9 . The golf ball according to　claim 8 , wherein the cross-linking agent is a mixture of organic peroxides, with each organic peroxide having a different activation temperature.」
（1. 
ゴルフボールであって、
a.
ゴルフボールコアであって、
i. 第1の硬度値を有する中心点と、
ii. 前記第1の硬度値と異なる第2の硬度を備える外表面と、
iii. 前記ゴルフボールコアの半径にわたる前記第1の硬度値と前記第2の硬度値との間の硬度値の勾配が離散的増分で発生し、
iv. 離散的な硬度値を有するゴルフボールコアの領域が中心点の周りに同心円状に配置され、そして、
a.
 1つ以上の層がゴルフボールコアを囲んでいる
…
6. 
ゴルフボールのコアは、不飽和重合体およびペプタイザを含むことを特徴とする、請求項1に記載のゴルフボール
…
8. 
ゴルフボールコアは、
2,5-ジメチル-2,5-ジ-(t-ブチルペルオキシ)ヘキシン-3
からなる
架橋剤を含む
9. 
架橋剤は、有機過酸化物の混合物であり
　したがって、上記引用文献２には次の発明（以下、「引用発明２」という。）が記載されていると認められる。
「ゴルフボールであって、
a.ゴルフボールコアであって、
i. 第1の硬度値を有する中心点と、
ii. 前記第1の硬度値と異なる第2の硬度を備える外表面と、
iii. 前記ゴルフボールコアの半径にわたる前記第1の硬度値と前記第2の硬度値との間の硬度値の勾配が離散的増分で発生し、
iv. 離散的な硬度値を有するゴルフボールコアの領域が中心点の周りに同心円状に配置され、そして、
b. 1つ以上の層がゴルフボールコアを囲んでおり、
　ゴルフボールのコアは、不飽和重合体およびペプタイザを含み、
　2,5-ジメチル-2,5-ジ-(t-ブチルペルオキシ)ヘキシン-3からなる架橋剤を含み、架橋剤は、有機過酸化物の混合物である、ゴルフボール。」
３．引用文献３について
　原査定の拒絶の理由に引用され、本願の出願日前の平成２４年６月１４日に頒布された引用文献３（特開２０１２−１１０６９７号公報）には、図面とともに次の事項が記載されている。
（１）「【特許請求の範囲】
【請求項１】
　
下記（Ａ）〜（Ｅ）成分、
（Ａ）シス−１，４−結合を６０質量％以上含有するポリブタジエンを含む基材ゴム、
（Ｂ）不飽和カルボン酸及び／又はその金属塩、
（Ｃ）有機硫黄化合物、
（Ｄ）パーオキシケタール及び／又はジアルキルパーオキサイドよりなる群から選択された１種又は２種以上の有機過酸化物、
（Ｅ）ハイドロパーオキサイドよりなる群から選択された１種又は２種以上の有機過酸化物
を含有するゴム組成物の架橋成形物を構成要素とし、その架橋成形物の表面硬度から中心硬度を引いた値がＪＩＳ−Ｃ硬度で２０以上であることを特徴とするゴルフボール
…
【請求項３】
　
上記（Ｄ）成分のジアルキルパーオキサイドが、
２，５−ジメチル−２，５−ジ（ｔ−ブチルペルオキシ）ヘキシン−３
である請求項１又は２記載のゴルフボール
（２）「【技術分野】
【０００１】
　本発明は、ソリッドゴルフボールに関するものであり、更に詳述すると、ドライバー打撃時におけるスピン量を低減させ、飛距離の向上を図ったゴルフボールに関する。」
（３）「【００２７】
　次に、上記ジアルキルパーオキサイドとしては、例えば、ジ（２−ｔ−ブチルペルオキシイソプロピル）ベンゼン、ジクミルパーオキサイド、２，５−ジメチル−２，５−ジ（ｔ−ブチルペルオキシ）ヘキサン、ｔ−ブチルクミルパーオキサイド、ジ−ｔ−ヘキシルパーオキサイド、ジ−ｔ−ブチルパーオキサイド及び２，５−ジメチル−２，５−ジ（ｔ−ブチルペルオキシ）ヘキシン−３等を挙げることができ、特にジクミルパーオキサイドを好適に用いることができる。これらは１種を単独で使用しても、２種以上を併用してもよく、更には、上記のパーオキシケタールと組み合わせて配合することもできる。」
（４）「【００３０】
　（Ｅ）成分は、ハイドロパーオキサイドから選択された１種又は２種以上の有機過酸化物であり、上記（Ｄ）成分と同様に、ゴム組成物の架橋剤として配合されるものである。なお、この（Ｅ）成分は、これまでゴム用の架橋剤としては使用されていなかったものである。本発明において、この（Ｅ）成分は、上記（Ｃ）成分や（Ｄ）成分と組み合わせて配合されることにより、架橋成形物の表面硬度から中心硬度を引いた値をＪＩＳ−Ｃ硬度で２０以上とする効果が得られる。」
　したがって、上記引用文献３には次の発明（以下、「引用発明３」という。）が記載されていると認められる。
「下記（Ａ）〜（Ｅ）成分、
（Ａ）シス−１，４−結合を６０質量％以上含有するポリブタジエンを含む基材ゴム、
（Ｂ）不飽和カルボン酸及び／又はその金属塩、
（Ｃ）有機硫黄化合物、
（Ｄ）パーオキシケタール及び／又はジアルキルパーオキサイドよりなる群から選択された１種又は２種以上の有機過酸化物、
（Ｅ）ハイドロパーオキサイドよりなる群から選択された１種又は２種以上の有機過酸化物を含有するゴム組成物の架橋成形物を構成要素とし、その架橋成形物の表面硬度から中心硬度を引いた値がＪＩＳ−Ｃ硬度で２０以上であるゴルフボールであって、
　上記（Ｄ）成分のジアルキルパーオキサイドが、２，５−ジメチル−２，５−ジ（ｔ−ブチルペルオキシ）ヘキシン−３であるゴルフボール。」
４．引用文献４について
　原査定の拒絶の理由に引用され、本願の出願日前の平成１６年１２月１６日に頒布された引用文献４（特開２００４−３５０９５３号公報）には、次の事項が記載されている。
（１）「【特許請求の範囲】
【請求項１】
ソリッドコアと、該ソリッドコアを被覆するカバーとを有するゴルフボール
前記ソリッドコアは、有機過酸化物を熱可塑性樹脂で被覆したマイクロカプセルとして配合されたゴム組成物であることを特徴とするゴルフボール。」
（２）「【０００１】
【発明の属する技術分野】
本発明はソリッドゴルフボール、特に均一性、反発性能および耐久性に優れたソリッドゴルフボール、さらにその製造方法に関する。」
（３）「【００５６】
【実施例】
（１）  マイクロカプセルの製造
ポリプロピレン（軟化点１６０℃）５ｇをトリクロロベンゼン５０ｍｌに溶解した溶液に、表２に示す有機過酸化物の２０ｗｔ％水溶液を１００ｇ加え、３０分間攪拌し乳化を行
なった。乳化状態は（Ｗ／Ｏ）型エマルジョンであった。得られたエマルジョンを、ＰＶＡの４ｗｔ％水溶液の１リットル中に攪拌しながら添加し、〔（Ｗ／Ｏ）／Ｗ〕型複合エマルジョンとした。系の温度を４０℃まで徐々に昇温させ、トリクロロベンゼンを蒸発させた後、５５℃で１時間攪拌し、膜材を硬化させてマイクロカプセルを得た。マイクロカプセル中の有機過酸化物の含有量は８０質量％であった。
【００５７】
【表２】
【００５８】
注１：「パークミルＤ」は、日本油脂社製のジクミルパーオキサイドである。
注２：「パーヘキサ３Ｍ」は、日本油脂社製の１，１−ビス（ｔ−ブチルパーオキシ）−３，３，５−トリメチルシクロヘキサンである。
注３：「パーヘキシン２５Ｂ」は、日本油脂社製の２，５−ジメチル−２，５−ジ（ｔ−ブチルパーオキシ）へキシン−３である。
【００５９】
（２）  ソリッドコアの作製
表３に示すゴム組成物をニーダーおよびロールを用いて混練し、１６０℃で２０分間、加熱加圧成形し、表３に示すコア径のソリッドコアを作製した。混練時はゴム組成物の温度が１００℃を超えないように温度を制御した。
【００６０】
【表３】
【００６１】
注４：「ＢＲ−１１」は、ＪＳＲ社製のポリブタジエンゴムであり、シス−１，４結合の含有量は９６％である。
注５：アクリル酸亜鉛は、日本触媒社製の「ＺＮＤＡ−９０Ｓ」である。
注６：酸化亜鉛は、東邦亜鉛社製である。
注７：硫酸バリウムは、堺化学工業社製の「バリコ♯１００」である。」
（４）上記（３）より、実施例３の
コアは、シス−１，４結合の含有量は９６％であるポリブタジエンゴム、アクリル酸亜鉛、酸化亜鉛、硫酸バリウム、２，５−ジメチル−２，５−ジ（ｔ−ブチルパーオキシ）へキシン−３、ジクミルパーオキサイド、カプセル化有機過酸化物からなる
　したがって、上記引用文献４には次の発明（以下、「引用発明４」という。）が記載されていると認められる。
「ソリッドコアと、該ソリッドコアを被覆するカバーとを有するゴルフボールであって、
　コアは、シス−１，４結合の含有量は９６％であるポリブタジエンゴム、アクリル酸亜鉛、酸化亜鉛、硫酸バリウム、２，５−ジメチル−２，５−ジ（ｔ−ブチルパーオキシ）へキシン−３、ジクミルパーオキサイド、カプセル化有機過酸化物からなるものである、ゴルフボール。」
第４　対比・判断
１．本願発明１について
（１）対比
　本願発明１と引用発明１とを対比すると、
　後者の「球状コア」、「球状コアを被覆する少なくとも一層のカバー」、「ゴルフボール」、「（ａ）基材ゴム」、「（ｂ）共架橋剤として炭素数が３〜８個のα，β−不飽和カルボン酸および／またはその金属塩」、「（ｃ）架橋開始剤として、有機過酸化物」、「（ｄ）芳香族カルボン酸および／またはその塩」は、それぞれ、前者の「球状コア」、「球状コアを被覆する少なくとも一層以上のカバー」、「ゴルフボール」、「（ａ）基材ゴム」、「（ｂ）共架橋剤として炭素数が３〜８個のα，β−不飽和カルボン酸および／またはその金属塩」、「架橋開始剤として（ｃ）有機過酸化物」、「（ｄ）芳香族カルボン酸および／またはその塩」に相当する。
　後者の「（ｂ）共架橋剤として炭素数が３〜８個のα，β−不飽和カルボン酸のみを含有する場合には、さらに（ｆ）金属化合物を含有する」は、前者の「（ｂ）共架橋剤として炭素数が３〜８個のα，β−不飽和カルボン酸のみを含有する場合には、さらに（ｅ）金属化合物を含有し」に相当する。
　後者の「（ｃ）架橋開始剤」として、「有機過酸化物である２，５−ジメチル−２，５−ジ（ｔ―ブチルパーオキシ）ヘキサン単独を用いた」ものは、前者の「架橋開始剤として、前記（ｃ）有機過酸化物のみを配合し」たものに相当する。
　したがって、両者は、
「球状コアと前記球状コアを被覆する少なくとも一層以上のカバーとを有するゴルフボールであって、
　前記球状コアが、（ａ）基材ゴム、（ｂ）共架橋剤として炭素数が３〜８個のα，β−不飽和カルボン酸および／またはその金属塩、架橋開始剤として（ｃ）有機過酸化物および（ｄ）芳香族カルボン酸および／またはその塩を含有し、前記（ｂ）共架橋剤として炭素数が３〜８個のα，β−不飽和カルボン酸のみを含有する場合には、さらに（ｅ）金属化合物を含有し、
　前記架橋開始剤として、前記（ｃ）有機過酸化物のみを配合した、ゴルフボール。」
の点で一致し、以下の点で相違している。
［相違点］
　本願発明１が、（ｃ）有機過酸化物が、「２，５−ジメチル−２，５−ジ（ｔ−ブチルペルオキシ）ヘキシン−３であるゴム組成物から形成されている」ものであるのに対し、引用発明１は、有機過酸化物である２，５−ジメチル−２，５−ジ（ｔ―ブチルパーオキシ）ヘキサンである点。
（２）判断
１．本願発明１について
　上記相違点について検討する。
　引用発明２乃至４にはいずれにも、ゴルフボールのコアに含有される２，５−ジメチル−２，５−ジ（ｔ−ブチルペルオキシ）ヘキシン−３が記載されている。
　しかしながら、引用発明１は、ＪＩＳ−Ｃ硬度を縦軸とし、コア中心からの距離（％）を横軸として、測定結果をプロットして作成したグラフにおいて、プロットから最小二乗法により求めた線形近似曲線のＲ２が、０．９５以上とすることにより、直線性が高まり、ドライバーショットの飛距離がより大きくなることを特徴とするものである（【００２３】参照。）。
　他方、本願明細書には、架橋開始剤として、ジクミルパーオキサイドまたは２，５−ジメチル−２，５−ジ（ｔ−ブチルペルオキシ）ヘキシン−３を用いた場合の球状コアの硬度分布について記載され、（ｄ）成分として安息香酸、二安息香酸亜鉛、４−ジメチルアミノ安息香酸を含有し、架橋開始剤として２，５−ジメチル−２，５−ジ（ｔ−ブチルペルオキシ）ヘキシン−３を含有するゴルフボールＮｏ．１〜４は、線形近似曲線のＲ２がそれぞれ０．９２、０．８７、０．９０、０．９３であって、いずれも０．９５未満となっている。
　そうすると、引用発明１において、架橋開始剤として２，５−ジメチル−２，５−ジ（ｔ−ブチルペルオキシ）ヘキシン−３を使用した場合、球状コアの硬度分布は、線形近似曲線のＲ２が０．９５未満になる蓋然性が高く、球状コアの硬度分布の直線性を高めることを目的とする引用発明１に、引用発明２乃至４を組み合わせる動機付けはなく、むしろ、阻害要因があるといえる。
　そして、本願発明１は、上記相違点に係る本願発明１の発明特定事項により、「飛行性能に優れたゴルフボールを提供することができる。」（【００１４】参照。）という作用効果を奏するものである。
　したがって、本願発明１は、引用発明１乃至４に基づいて、当業者が容易に発明をすることができたものとすることはできない。
２．本願発明２乃至８について
　本願発明２乃至８は、本願発明１の発明特定事項にさらなる発明特定事項を追加して限定を付したものであるから、上記「１．　（２）」と同様の理由により、本願発明２乃至８が、引用発明１乃至４に基づいて、当業者が容易に発明をすることができたものとすることはできない。
第５　原査定の概要及び原査定についての判断
　原査定は、
「（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　１−１０
・引用文献　１−４
＜引用文献等一覧＞
１.特開２０１２−１３９４１６号公報
２.米国特許出願公開第２００６／０１６６７６１号明細書（周知技術を示す文
献）
３.特開２０１２−１１０６９７号公報（周知技術を示す文献）
４.特開２００４−３５０９５３号公報（周知技術を示す文献）」
というものである。
　しかしながら、平成３０年７月２日付け手続補正により、請求項１乃至８は、それぞれ「前記ゴム組成物が、前記架橋開始剤として、前記（ｃ）有機過酸化物のみを配合し、」が「前記架橋開始剤として、前記（ｃ）有機過酸化物のみを配合し、」という具合に、不明瞭な記載が削除されたものであって、平成３０年７月２日付け手続補正は、実質的に請求項１乃至８の進歩性を左右する内容のものではない。
　そうすると、上記第４のとおり、本願発明１乃至８は、上記引用発明１乃至４に基づいて、当業者が容易に発明できたものではない。
　したがって、原査定を維持することはできない。
第６　当審拒絶理由について
　当審では、
「この出願は、特許請求の範囲の記載が下記の点で、特許法第３６条第６項第２号に規定する要件を満たしていない。 
 　 
 　　　　　　　　　　　　　　　　　記 
 　請求項１の「前記ゴム組成物」に対応する事項が、請求項１に記載されていない。 」
との拒絶の理由を通知しているが、平成３０年７月２日付けの補正において、上記指摘に対して、請求項１乃至８は、「前記架橋開始剤として、前記（ｃ）有機過酸化物のみを配合し、」との補正がなされた結果、この拒絶の理由は解消した。
第７　むすび
　以上のとおり、原査定の理由によっては、本願を拒絶することはできない。
　また、他に本願を拒絶すべき理由を発見しない。
　よって、結論のとおり審決する。